(57)【特許請求の範囲】
【請求項１】
液状又は流動物状の充填材料のための薄肉のプラスチック容器（12）と、水平方向及び鉛直方向に延びる格子ロッド（管ロッド）（28,36）から成り、前記プラスチック容器（12）を密に取囲んで支持する、ワイヤ格子もしくは管格子から成る支持格子套壁（14）と、前記プラスチック容器（12）が載せられる底パレット（16）とを有し、前記底パレット（16）に前記支持套壁（14）が固定的に結合されているパレットコンテナ（10）であって、前記支持套壁（14）が角隅領域で直角状に折り曲げられた単数又は複数の格子プレート（18）から成り、前記格子プレート（18）が単数又は複数の鉛直方向に延びる結合領域（22）にて相互に不動に結合されている形式のものにおいて、前記格子プレート（18）の前記結合が、前記結合領域（22）を覆う少なくとも１つの鉛直方向に延びる金属薄板条片（20）を用いて行なわれており、前記金属薄板条片（20）が、水平方向に延びる前記格子ロッドのために、それぞれ側方の切欠き（スリット）（30）を有し、前記金属薄板条片（20）が外縁部（24,26）において、水平方向に延びる前記格子ロッド（36）の間にある、相上下する多数の個所で、前記結合領域の右側及び左側にて、前記結合領域の近くに位置する、鉛直方向に延びる前記格子ロッド（28）を中心に折り曲げられていることを特徴とする、パレットコンテナ。
【請求項２】
前記薄板条片（20）が広幅に形成されていて、前記ワイヤ格子プレート（18）の前記結合領域（22）の右側及び左側の各々で、少くとも２つの鉛直に延びる前記格子ロッド（28）を覆い、かつその外方縁部（24,26）において夫々外方の覆われた前記格子ロッド（28）を中心に折り曲げられて構成されていることを特徴とする、請求項１記載のパレットコンテナ。
【請求項３】
前記薄板条片（20）の内部に多数の薄板舌部（32）が形成されており、これらの薄板舌部（32）が別の覆われた鉛直な前記格子ロッド（28）を中心に折り曲げられていることを特徴とする、請求項１又は２記載のパレットコンテナ。
【請求項４】
折曲げ領域の長さを規定している前記切欠き（30）の深さ及び又は前記金属薄板条片（20）内の薄板舌部（32）の長さが、20mmと90mmとの間、殊に約40mmと60mmとの間の長さであることを特徴とする、請求項１から３までのいずれか１項記載のパレットコンテナ。
【発明の詳細な説明】
技術分野
本発明は、液状又は流動状の充填材料のための薄肉プラスチック容器と、プラスチック容器を支持套壁として密に取り囲んで水平及び鉛直に延びる格子ロッド（管ロッド）から成っているワイヤ格子乃至管格子と、底部パレットとを備えているパレットコンテナであって、該底部パレット上にプラスチック容器が位置しかつ該底部パレットにワイヤ格子支持套壁が不動に結合されており、該ワイヤ格子支持套壁は１つ又は２つの格子プレートから成り、該格子プレートは、角隅領域で直角状に折り曲げられていて、１つ乃至２つの鉛直に延びる結合領域において相互に不動に結合されている形式のものに関する。
背景技術
内方の薄肉状のプラスチック容器のためにワイヤ格子支持套壁を備えているこの種のパレットコンテナは、ドイツ国特許第3039635号明細書によって公知である。底部パレット−通常は木製平パレット−上へのワイヤ格子支持套壁の固定は、水平環状の最下方のワイヤロッドに上方から係合するクリップ、クランプ又は爪を用いて行われている。クリップ又はクランプは、木製パレットの表面内に釘固定（ピン固定）されているか又はパレットの上側プレート上に螺着されている。
パレットコンテナを工業的に使用するためには、官庁の承認検査を受け、その際所定の品質基準を満していなければならない。つまり例えば内圧試験乃至は積載したパレットコンテナの一定の落下高さからの落下試験を行わなければならない。特殊な検査では、落下試験での底部パレットの平面性について規定されている。
この種の落下試験の場合には、床衝突の際内部容器が動的なエネルギ及び発生した衝撃的な膨れ圧力によって半径方向で総ての平面方向に膨張するその状態が調べられる。その際支持套壁の水平ロッドのスリープ固着部又は支持套壁の鉛直格子ロッドの点溶接個所が裂開させられるということが屡発生する。つまり支持套壁の結合領域においては格子ロッドの固定部か最も弱い個所である。結合領域におけるワイヤ格子支持套壁の固定が数個の僅かな個所だけで行われているため、ワイヤ格子はパレットコンテナの落下の際極めて不均一に変形しかつ歪むようになり、部分的にワイヤ格子の溶接個所を相互に引き裂きかつ自由なワイヤ格子端部が薄肉のプラスチック容器を傷めるようになる。
発明の開示
本発明の課題は、これらの欠点を除去すると共に、簡単な手段で鉛直に延びる結合領域内で格子プレートの良好な固定が達成され、かつ落下高さが高い場合でもワイヤ格子支持套壁の均一で僅かな変形によって、結合領域が裂開したり内方容器が損害を受け乃至は非気密になることのないような、パレットコンテナを提供することにある。
本発明では、請求項１に記載の特徴によって上記課題を解決することができた。請求項２以下には、本発明のパレットコンテナの有利な構成例が述べられている。
薄板条片の使用によって、乃至は多数の格子ロッドを覆って外方縁部の簡単な折曲り部（縁曲り部）を備えている薄板プレートの使用によって、乃至はスリットを形成する薄板舌部（舌状板）によって、夫々右側及び左側において格子支持套壁の格子プレートの結合領域に対し平行に延びている鉛直な格子ロッドが、一方で結合領域におけるワイヤ格子を不動かつ確実に結合／固定するための制作技術的に簡単な可能性を与えることができるようになっている。他方で格子プレート縁部のこの大平板的な相互の固定部は、特にパレットコンテナの落下の際充分に弾性変形可能な領域を規定しかつ過負荷の場合には塑性変形可能な領域を規定しており、該領域によって、この種の極端な負荷を申し分なく克服することができかつ格子套壁の裂開及びプラスチック容器の非気密性が阻止できるようになっている。
本発明の別の構成にあっては、相上下して配置されて水平に延びている複数の薄板条片が設けられており、該薄板条片はその側方縁部で、隣接する水平な格子ロッドを中心に折り曲げられているか、及び又はその両方の側方の外方縁部で格子プレートの結合領域に対し平行かつ垂直に延びている少くとも１つの格子ロッドを中心に折り曲げられている。
本発明の特別な構成にあっては、薄板条片が広幅の薄板パネルとして構成されており、該薄板パネルは、結合領域の各側部上で夫々少くとも２つの鉛直な格子ロッドを覆い、かつ夫々の外方縁部及び３側部で打ち抜かれた内方薄板舌部によってこの覆われた格子ロッドを取り囲み乃至は包含している。その際スリット付きの外方縁部の折り曲げられた薄板条片の長さ乃至は閉鎖薄板内の薄板舌部の長さが、20mmと90mmとの間、有利には約40mmから60mmまでの間の長さになっている。
本発明の別の構成にあっては、薄板パネルがその下方領域においてより広幅に形成されており、かつその上方領域におけるよりも多くの鉛直な格子ロッドを覆っている。つまり例えば薄板パネルの上半部内で夫々２つの鉛直な格子ロッドが覆われ、かつ下方に向って薄板パネルが階段状に拡幅されているような場合には、先づ夫々３つの格子が覆われかつ完全に下方では少くとも４つの格子ロッドが覆われていて、折り曲げられた外方縁部及び内方の薄板舌部によって不動に固定されうるようになっている。
【図面の簡単な説明】
次に本発明を、図面に図示された実施例に基いて詳しく説明することにする。その際
図１はワイヤ格子套壁の新式な結合部を備えた本発明のパレットコンテナの図、
図２は格子套壁を結合するための広幅の薄板条片の図、
図３は結合領域を備えた格子套壁の概略図、
図４乃至図７は格子套壁を結合するための別の実施例の詳細側面図
を夫々示している。
実施例の説明
図１には、液状又は流動状充填材料のための内方の薄肉プラスチック容器12と、該プラスチック容器12を支持套壁として密に取り囲んで水平及び鉛直に延びるワイヤロッド28,36から成っているワイヤ格子套壁14と、底部パレット16とを備えているパレットコンテナ10が図示されている。ワイヤ格子支持套壁14は、底部パレット16に不動にかつ解離可能に結合されている。
この例ではワイヤ格子支持套壁14が、４つの角隅領域で夫々直角状に折り曲げられた１部分状の格子プレート18から成っている。有利にはプラスチック容器12の底部側弁コックの上方の中央部に、支持套壁14乃至格子プレート18の鉛直に延びた結合領域22が位置している。
結合領域22は、左側の外方縁部24及び右側の外方縁部26において夫々１つの鉛直に延びる格子ロッド28を中心に折り曲げられた１つの薄板パネル20によって覆われている。弁コックに近付き得るようにするため、薄板パネル20の下方に対応する切欠き38が設けられている。図示の実施例においては、結合領域22の各側部上で薄板パネル20によって３つの鉛直な格子ロッド28が覆われており、その際内方に位置する格子ロッドが夫々３つの側部で打ち抜かれた薄板舌部32によって固定されている。
図２には、格子マットを固定するための薄板パネル20が拡大して図示されている。通常の10001型パレットコンテナの場合には、薄板パネル20がほぼ次の様な寸法：つまり高さ約1120mm,幅約520mmの寸法を有している。薄板パネル20は、例えば1.2mm又は1.5mmの薄板肉厚を有するステンレス又は亜鉛メッキの薄鋼板から成っている。
符号28によって鉛直な格子ロッドが鎖線で示唆されており、該格子ロッド28を中心にして側方の外方縁部の舌状板／舌部が折り曲げられる。薄板プレート20は水平に延びる格子ロッド36の高さでその外方縁部に夫々対応するスリット30乃至切欠きを有しており、それによって薄板舌部32が鉛直な格子ロッドを中心に偏平かつ平滑に折り曲げられうるようになっている。鎖線で示唆されているように、薄板パネル20の上方縁部及び又は下方縁部並びに内部にも複数の同一形式の薄板舌部が設けられており、該薄板舌部は付加的に水平に延びる格子ロッドに固定されている。
平板的な薄板パネル20上には有利な形式で、充填物質を特徴づけるための商標パネル又はラベルパネルを取り付けることができる。
図３には、本来の支持套壁に対し４重に折り曲げられた、鉛直及び水平に延びる格子ロツド28,36を備えた格子プレート18が、斜視図でもう一度図示されている。格子プレート18は前方で結合領域22を閉じ込めている。
図４のａは結合領域22を上方からみた平面図を示し、図４のｂは隣接する２つの鉛直な格子ロッド28の斜視図を示しており、該格子ロッド28は、結合領域22を覆っている狭い薄板条片34によって固定されている。この薄板条片34は、折り曲げられた外方縁部と水平な格子ロッドのための対応する切欠き（スリット）とを備えており、その状況が図５に図示されている。図６には、結合領域22及び固定された薄板条片34の内部が概略的に図示されている。図７の拡大図には平滑に当接している、鉛直な格子ロッド28の周りにおける薄板条片34の外方縁部の固定部が明瞭に示されている。格子ワイヤプレートの結合は、水平に延びる多数の狭い薄板条片によっても勿論実現可能であろう。その場合薄板条片の外方縁部は、−例えば個々の区分において交互の側で−水平に延びる隣接格子ロッドによって固定可能である。
格子プレート縁部を相互に固定するこの種の形式の場合に重要なことは、亜鉛メッキされた薄鋼板20の外方縁部24,26乃至薄板舌部／舌状板32の折曲り部／縁曲げ部が、夫々鉛直に延びる格子ロッド28を中心に乃至は水平に延びる格子ロッド36の場合にも、格子套壁14の結合領域22の傍で右側及び左側に位置しているということである。
パレットコンテナ10の底部パレット16は、選択的に木材、金属管部分又はそれに類似の金属フレーム部分から成り、又は有利にはリサイクルプラスチックから成っている。
つまり固定薄板パネル20を用いた格子套壁14の結合は、特にパレットコンテナの落下の際の、高い弾性及び良好な弾性的かつ塑性的な変形特性によって優れている。このためパレット容器が充填された場合の1.6m乃至2.2mからの総ての落下試験に充分に合格することができる。
【図１】
0003542596.tif 000002
【図４ａ】
0003542596.tif 000003
【図４ｂ】
0003542596.tif 000004
【図５】
0003542596.tif 000005
【図２】
0003542596.tif 000006
【図６】
0003542596.tif 000007
【図７】
0003542596.tif 000008
【図３】
0003542596.tif 000009